【手続補正書】
【提出日】平成23年11月16日(2011.11.16)
【手続補正１】
【補正対象書類名】特許請求の範囲
【補正対象項目名】全文
【補正方法】変更
【補正の内容】
【特許請求の範囲】
【請求項１】
画像を取得する画像取得手段と、
前記画像取得手段が取得した前記画像に処理を施して特定の対象に関する情報を認識する画像認識手段と、
利用者の身体または衣服に接して設けられ得る形態を有し、表示を行う表示手段と、
前記画像認識手段が前記画像または前記画像の特定の部分に前記特定の対象が存在すると認識した場合に、前記表示手段に対し、前記特定の対象の種類に応じて前記利用者の存在を顕示する内容または偽装を施す画像を表示する旨の指示を行う指示手段と、
を備えたことを特徴とする状況通知装置。
【請求項２】
前記偽装を施す前記画像は、前記特定の対象が存在する位置を基準として前記表示手段の背後にある領域の画像であることを特徴とする請求項１記載の状況通知装置。
【請求項３】
前記画像取得手段は、前記利用者に装着され得る形態を有することを特徴とする請求項１または２に記載の状況通知装置。
【請求項４】
画像を取得する画像取得手段と、
前記画像取得手段が取得した前記画像に処理を施して２つの特定の対象の間の距離を認識する画像認識手段と、
前記２つの特定の対象の少なくともいずれかに付設され得る形態を有し、警告を行う警告手段と、
前記距離が一定範囲内にある場合に、前記警告手段に対し、警告を行う旨の指示を行う指示手段と、
を備えたことを特徴とする状況通知装置。
【請求項５】
前記画像取得手段は、利用者に装着され得る形態を有することを特徴とする請求項４記載の状況通知装置。
【請求項６】
画像を取得する画像取得手段と、
前記画像取得手段が取得した前記画像に処理を施して特定の対象に関する情報を認識する画像認識手段と、
利用者に表示を行う表示手段と、
前記画像認識手段が前記画像または前記画像の特定の部分に前記特定の対象が存在すると認識した場合に、前記表示手段に対し、前記特定の対象が存在することを知らせる内容を表示する旨の指示を行う指示手段と、
を備えたことを特徴とする状況通知装置。
【請求項７】
前記指示手段は、前記画像認識手段が前記画像または前記画像の特定の部分に前記特定の対象が存在すると認識した場合であって前記利用者の視野の外に前記特定の対象が存在すると認識した場合に、前記表示手段に対し、前記内容を前記表示手段の表示画面の周縁部内の位置であって前記特定の対象が存在する位置から相対的に近い位置に表示する旨の指示を行うことを特徴とする請求項６記載の状況通知装置。
【請求項８】
前記表示手段において、少なくとも前記利用者の視野の外にある領域の画像が表示されることを特徴とする請求項６または７に記載の状況通知装置。
【請求項９】
画像を取得する画像取得手段と、
前記画像取得手段が取得した前記画像に処理を施して特定の対象に関する情報を認識する画像認識手段と、
利用者に音声を発生させる発音手段と、
前記画像認識手段が前記画像または前記画像の特定の部分に前記特定の対象が存在すると認識した場合に、前記発音手段に対し、前記特定の対象が存在することを知らせる音声を発生させる旨の指示を行う指示手段と、
を備えたことを特徴とする状況通知装置。
【請求項１０】
前記発音手段は、音声を発生させる左右の端子を有し、
前記指示手段は、前記発音手段に対し、前記特定の対象が存在することを知らせる前記音声を前記特定の対象が存在する位置に相対的に近い側の前記端子から相対的に大きい音量で発生させる旨の指示を行うことを特徴とする請求項９記載の状況通知装置。
【請求項１１】
前記指示手段は、前記画像認識手段が前記画像または前記画像の特定の部分に前記特定の対象が存在すると認識した場合であって前記利用者の後方に前記特定の対象が存在すると認識した場合に、前記発音手段に対し、前記利用者の後方に存在する前記特定の対象に関し相対的に鈍化した波形を有する音声を発生させる旨の指示を行うことを特徴とする請求項９または１０に記載の状況通知装置。
【手続補正２】
【補正対象書類名】明細書
【補正対象項目名】発明の名称
【補正方法】変更
【補正の内容】
【発明の名称】状況通知装置
【手続補正３】
【補正対象書類名】明細書
【補正対象項目名】０００１
【補正方法】変更
【補正の内容】
【０００１】
本発明は、状況通知装置に関し、より詳細には、画像に処理を施す手段を備えた状況通知装置に関する。
【手続補正４】
【補正対象書類名】明細書
【補正対象項目名】０００５
【補正方法】変更
【補正の内容】
【０００５】
本発明は、利用者が状況を効率的に認識するまたは認識させることを可能にする状況通知装置を提供する。
【手続補正５】
【補正対象書類名】明細書
【補正対象項目名】０００６
【補正方法】変更
【補正の内容】
【０００６】
本発明の一態様によれば、画像を取得する画像取得手段と、前記画像取得手段が取得した前記画像に処理を施して特定の対象に関する情報を認識する画像認識手段と、利用者の身体または衣服に接して設けられ得る形態を有し、表示を行う表示手段と、前記画像認識手段が前記画像または前記画像の特定の部分に前記特定の対象が存在すると認識した場合に、前記表示手段に対し、前記特定の対象の種類に応じて前記利用者の存在を顕示する内容または偽装を施す画像を表示する旨の指示を行う指示手段と、を備えたことを特徴とする状況通知装置が提供される。
【手続補正６】
【補正対象書類名】明細書
【補正対象項目名】０００７
【補正方法】変更
【補正の内容】
【０００７】
また、本発明の他の一態様によれば、画像を取得する画像取得手段と、前記画像取得手段が取得した前記画像に処理を施して２つの特定の対象の間の距離を認識する画像認識手段と、前記２つの特定の対象の少なくともいずれかに付設され得る形態を有し、警告を行う警告手段と、前記距離が一定範囲内にある場合に、前記警告手段に対し、警告を行う旨の指示を行う指示手段と、を備えたことを特徴とする状況通知装置が提供される。
【手続補正７】
【補正対象書類名】明細書
【補正対象項目名】０００８
【補正方法】変更
【補正の内容】
【０００８】
また、本発明のさらに別の一態様によれば、画像を取得する画像取得手段と、前記画像取得手段が取得した前記画像に処理を施して特定の対象に関する情報を認識する画像認識手段と、利用者に表示を行う表示手段と、前記画像認識手段が前記画像または前記画像の特定の部分に前記特定の対象が存在すると認識した場合に、前記表示手段に対し、前記特定の対象が存在することを知らせる内容を表示する旨の指示を行う指示手段と、を備えたことを特徴とする状況通知装置が提供される。
【手続補正８】
【補正対象書類名】明細書
【補正対象項目名】０００９
【補正方法】変更
【補正の内容】
【０００９】
また、本発明のさらに別の一態様によれば、画像を取得する画像取得手段と、前記画像取得手段が取得した前記画像に処理を施して特定の対象に関する情報を認識する画像認識手段と、利用者に音声を発生させる発音手段と、前記画像認識手段が前記画像または前記画像の特定の部分に前記特定の対象が存在すると認識した場合に、前記発音手段に対し、前記特定の対象が存在することを知らせる音声を発生させる旨の指示を行う指示手段と、を備えたことを特徴とする状況通知装置が提供される。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】変更
【補正の内容】
【００１４】
本発明によれば、利用者が状況を効率的に認識するまたは認識させることを可能にする状況通知装置が提供される。